(57)【要約】【課題】ユーザの状態から得られる情報の提示内容を、ユーザの行動に応じて変化させることが可能な、表示制御装置を提供する。【解決手段】ユーザの活動情報を取得する取得部と、前記取得部により取得された前記活動情報に基づいたユーザの状態から得られる情報を提示し、前記ユーザの行動に応じて、提示した情報の内容を変化させる処理を行う表示処理部と、を備える、表示制御装置が提供される。【選択図】図１
2018116703.tif 000002
【特許請求の範囲】
【請求項１】
ユーザの活動情報を取得する取得部と、
前記取得部により取得された前記活動情報に基づいたユーザの状態から得られる第１の情報を提示し、前記ユーザの行動に応じて、提示した前記第１の情報の内容を変化させる処理を行う表示処理部と、
を備える、表示制御装置。
【請求項２】
前記表示処理部は、前記第１の情報と共に、前記ユーザの状態を変容させる行動を示す第２の情報を提示する、請求項１に記載の表示制御装置。
【請求項３】
前記表示処理部は、前記第１の情報の提示後に、前記ユーザの活動内容に応じて、提示した前記第１の情報の内容を変化させる処理を行う、請求項２に記載の表示制御装置。
【請求項４】
前記表示処理部は、前記ユーザによる前記第２の情報として示した行動の実行に応じて、前記第１の情報の内容を変化させる処理を行う、請求項３に記載の表示制御装置。
【請求項５】
前記活動情報に基づいた前記ユーザの状態を判断する判断部をさらに備える、請求項２に記載の表示制御装置。
【請求項６】
前記表示処理部は、前記第２の情報として、前記判断部が判定した前記ユーザの状態を変容させる情報を提示する、請求項５に記載の表示制御装置。
【請求項７】
前記判断部は、前記取得部が前記活動情報として取得したセンシングデータを用いて前記ユーザの状態を判断する、請求項５に記載の表示制御装置。
【請求項８】
前記判断部は、前記取得部が前記活動情報として取得した前記ユーザの生体情報を用いて前記ユーザの状態を判断する、請求項７に記載の表示制御装置。
【請求項９】
前記判断部は、前記取得部が前記活動情報として取得した前記ユーザの移動に関する情報を用いて前記ユーザの状態を判断する、請求項７に記載の表示制御装置。
【請求項１０】
前記判断部は、ポイント化された前記ユーザの状態に対して前記活動情報を用いた演算を行う、請求項５に記載の表示制御装置。
【請求項１１】
前記表示制御部は、前記ユーザのポイントが所定の条件を満たした場合に前記第１の情報を提示する、請求項１０に記載の表示制御装置。
【請求項１２】
前記表示処理部は、前記第１の情報として、前記ユーザに提供するクーポンを提示する、請求項１に記載の表示制御装置。
【請求項１３】
前記表示処理部は、前記クーポンとして、所定の時間の間でだけ使用可能なクーポンを提示する、請求項１２に記載の表示制御装置。
【請求項１４】
前記表示処理部は、前記クーポンとして、所定の場所でだけ使用可能なクーポンを提示する、請求項１２に記載の表示制御装置。
【請求項１５】
ユーザの活動情報を取得することと、
取得された前記活動情報に基づいたユーザの状態から得られる第１の情報を提示し、前記ユーザの行動に応じて、提示した前記第１の情報の内容を変化させる処理をプロセッサが行うことと、
を含む、表示制御方法。
【請求項１６】
コンピュータに、
ユーザの活動情報を取得することと、
取得された前記活動情報に基づいたユーザの状態から得られる第１の情報を提示し、前記ユーザの行動に応じて、提示した前記第１の情報の内容を変化させる処理を行うことと、
を実行させる、コンピュータプログラム。
【発明の詳細な説明】
【技術分野】
【０００１】
本開示は、表示制御装置、表示制御方法及びコンピュータプログラムに関する。
【背景技術】
【０００２】
人間にとって、適正な運動を行ったり、適度に休息をとったりすることは、心身の健康のために重要である。例えば、特許文献１には、ユーザが一旦始めた運動等の行為が継続して実行されるために、ユーザに対してその行為の継続に対するモチベーションを維持・向上させることが可能な技術が開示されている。
【先行技術文献】
【特許文献】
【０００３】
【特許文献１】特開２００６−１３１０４０号公報
【発明の概要】
【発明が解決しようとする課題】
【０００４】
特許文献１には、ユーザが一旦始めた行為が継続して実行されるための技術は開示されている。しかし、ユーザがある状態になっている際に、ユーザをその状態から変容させることを促すための技術については、上記特許文献１には開示されていない。【０００５】
そこで、本開示では、ユーザの状態から得られる情報の提示内容を、ユーザの行動に応じて変化させることが可能な、新規かつ改良された表示制御装置、表示制御方法及びコンピュータプログラムを提案する。
【課題を解決するための手段】
【０００６】
本開示によれば、ユーザの活動情報を取得する取得部と、前記取得部により取得された前記活動情報に基づいたユーザの状態から得られる第１の情報を提示し、前記ユーザの行動に応じて、提示した前記第１の情報の内容を変化させる処理を行う表示処理部と、を備える、表示制御装置が提供される。【０００７】
また本開示によれば、ユーザの活動情報を取得することと、取得された前記活動情報に基づいたユーザの状態から得られる第１の情報を提示し、前記ユーザの行動に応じて、提示した前記第１の情報の内容を変化させる処理をプロセッサが行うことと、を含む、表示制御方法が提供される。【０００８】
また本開示によれば、コンピュータに、ユーザの活動情報を取得することと、取得された前記活動情報に基づいたユーザの状態から得られる第１の情報を提示し、前記ユーザの行動に応じて、提示した前記第１の情報の内容を変化させる処理を行うことと、を実行させる、コンピュータプログラムが提供される。
【発明の効果】
【０００９】
以上説明したように本開示によれば、ユーザの状態から得られる情報の提示内容を、ユーザの行動に応じて変化させることが可能な、新規かつ改良された表示制御装置、表示制御方法及びコンピュータプログラムを提供することが出来る。【００１０】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の実施の形態に係る健康管理システム１の全体構成例を示す説明図である。
【図２】同実施の形態に係る収集装置１００の機能構成例を示す説明図である。
【図３】同実施の形態に係る携帯端末２００の機能構成例を示す説明図である。
【図４】同実施の形態に係るサーバ３００の機能構成例を示す説明図である。
【図５】ユーザインタフェースの例を示す説明図である。
【図６】ユーザインタフェースの例を示す説明図である。
【図７】ユーザインタフェースの例を示す説明図である。
【図８】同実施の形態に係る携帯端末２００の動作例を示す説明図である。
【図９Ａ】ユーザインタフェースの例を示す説明図である。
【図９Ｂ】ユーザインタフェースの例を示す説明図である。
【図９Ｃ】ユーザインタフェースの例を示す説明図である。
【図９Ｄ】ユーザインタフェースの例を示す説明図である。
【図１０Ａ】ユーザインタフェースの例を示す説明図である。
【図１０Ｂ】ユーザインタフェースの例を示す説明図である。
【図１０Ｃ】ユーザインタフェースの例を示す説明図である。
【図１０Ｄ】ユーザインタフェースの例を示す説明図である。
【図１１】同実施の形態に係る携帯端末２００の動作例を示す説明図である。
【図１２Ａ】ユーザインタフェースの例を示す説明図である。
【図１２Ｂ】ユーザインタフェースの例を示す説明図である。
【図１２Ｃ】ユーザインタフェースの例を示す説明図である。
【図１２Ｄ】ユーザインタフェースの例を示す説明図である。
【図１３Ａ】ユーザインタフェースの例を示す説明図である。
【図１３Ｂ】ユーザインタフェースの例を示す説明図である。
【図１４Ａ】ユーザインタフェースの例を示す説明図である。
【図１４Ｂ】ユーザインタフェースの例を示す説明図である。
【図１５】ユーザの項目のポイント化の例を示す説明図である。
【図１６】対応関係を示す説明図である。
【図１７】対応関係を示す説明図である。
【図１８】ユーザのポイントの変化及びその変化に応じて携帯端末２００が提示する内容の例を示す説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．本開示の実施の形態
１．１．概要
１．２．システム構成例
１．３．機能構成例
１．４．動作例及び表示例
２．まとめ
【００１４】
＜１．本開示の実施の形態＞
［１．１．概要］
本開示の実施の形態について詳細に説明する前に、本開示の実施の形態の概要について説明する。
【００１５】
人間にとって、適正な運動を行ったり、適度に休息をとったりすることは、心身の健康のために重要である。人間は１日の中で座位、立位、運動などの状態を繰り返し行っている。そして、座位の状態である時間が長く続くほど、人の健康状態は悪化する。例えば、十分な運動を行っていても、運動していない時間帯に椅子に座り続けていると、座位の状態が長く続くため健康状態は悪化してしまう。
【００１６】
また、作業中に適度な休息を取ることが生産性の向上に繋がるという研究結果もある。
【００１７】
従って、人間のある活動状態が長く続いたら、その活動状態から別の状態への転換（変容）を定期的に行わせることで、その人間にとって生産性を向上させることが出来るだけでなく、ひいてはその人間の心身の健康状態の向上にも繋がりうる。
【００１８】
そこで本件開示者は、上述した点に鑑みて、ユーザの状態を検出し、ある状態が所定時間継続したと判断すると、そのユーザに対して、その現在の状態からの転換（変容）を促すことが可能な技術について鋭意検討を行った。その結果、本件開示者は、以下で説明するように、ユーザの状態を検出し、ある状態が所定時間継続したと判断すると、そのユーザに対して、その現在の状態からの転換（変容）を促すことが可能な技術を考案するに至った。
【００１９】
以上、本開示の実施の形態の概要を説明した。
【００２０】
［１．２．システム構成例］
次に、本開示の実施の形態に係るシステムの構成例を説明する。図１は、本開示の実施の形態に係る健康管理システム１の全体構成例を示す説明図である。以下、図１を用いて本開示の実施の形態に係る健康管理システム１の全体構成例について説明する。
【００２１】
図１に示したように、本開示の実施の形態に係る健康管理システム１は、収集装置１００と、携帯端末２００と、サーバ３００と、を含んで構成される。
【００２２】
収集装置１００は、ユーザの身体に関する情報を収集する装置であり、例えばユーザの身体、特に手首に装着されうる。収集装置１００としては、例えばウェアラブルデバイスの形態を有しうる。図１では、ユーザの手首に装着されることを目的とした腕時計型のウェアラブルデバイスとして収集装置１００が図示されているが、収集装置１００の形態は腕時計型のウェアラブルデバイスに限定されるものではない。
【００２３】
収集装置１００は、例えばユーザの心拍数や心拍の揺らぎ等のユーザの身体に関する情報を収集する。収集装置１００は、例えば、LED（Light  Emitting  Diode）の光をユーザの肌に照射することで血流量の変化を捉え、血流量の変化からユーザの脈波を計測する。収集装置１００は、ユーザの脈波を計測することで、ユーザの心拍数や心拍の揺らぎ等の、ユーザの身体に関する情報を収集できる。
【００２４】
また収集装置１００は、加速度センサを備えて、加速度センサから出力されるセンシングデータを収集する。
【００２５】
携帯端末２００は、ユーザが携帯する、通信機能を有する端末である。携帯端末２００は、例えばスマートフォン、タブレット型端末等の形態を有しうる。携帯端末２００は、収集装置１００との間の無線通信によって、収集装置１００からユーザの身体に関する情報やセンシングデータを取得する。そして携帯端末２００は、取得した情報やデータに基づき、そのユーザの状態が所定時間継続していれば、その状態を変容させるための情報を提示する機能を有する。
【００２６】
なお、収集装置１００からの様々な情報を受け取るのは、携帯端末２００ではなく、ラップトップ型またはデスクトップ型のパーソナルコンピュータでもよい。
【００２７】
サーバ３００は、携帯端末２００との間の通信によって、携帯端末２００から情報を取得したり、携帯端末２００に情報を提供したりする装置である。サーバ３００は、複数の装置が相互にネットワークで接続されていることによって携帯端末２００からは１つのデバイスと見なされている形態であってもよい。サーバ３００は、携帯端末２００が取得した、ユーザの身体に関する情報やセンシングデータを取得して、ユーザの状態が所定時間継続していれば、その状態を変容させる情報を提示させるための情報を携帯端末２００に提供する。
【００２８】
収集装置１００からユーザの身体に関する情報やセンシングデータを取得することで、携帯端末２００（またはサーバ３００）は、ユーザの活動状態を高精度に推測することができる。携帯端末２００は、ユーザの身体に関する情報やセンシングデータを用いて、ユーザが安静状態なのか、座っているのか、立っているのか、軽い運動をしているのか、激しい運動をしているのか、等のユーザの状態を推測すると共に、それぞれの状態の時間を計測することができる。
【００２９】
なお図１では、本開示の実施の形態に係る健康管理システム１は、収集装置１００と、携帯端末２００と、サーバ３００と、を含んで構成される例を示したが、本開示は係る例に限定されるものでは無い。以下で説明する処理は、収集装置１００単体で行われていても良く、携帯端末２００単体で行われても良く、収集装置１００と携帯端末２００との組み合わせ、収集装置１００とサーバ３００との組み合わせ、携帯端末２００とサーバ３００との組み合わせ、によって行われても良い。
【００３０】
以上、本開示の実施の形態に係る健康管理システム１の全体構成例について説明した。続いて、本開示の実施の形態に係る各装置の機能構成例について説明する。
【００３１】
［１．３．機能構成例］
図２は、本開示の実施の形態に係る収集装置１００の機能構成例を示す説明図である。以下、図２を用いて本開示の実施の形態に係る収集装置１００の機能構成例について説明する。
【００３２】
図２に示すように、本実施形態に係る収集装置１００は、タッチパネルディスプレイ１０２と、運動状態センサ１０４と、通信部１０６と、記憶部１０８と、スピーカ１１０と、マイク１１２と、制御部１２０と、を有して構成される。また制御部１２０は、判断部１２２と、認識部１２４と、表示制御部１２６、音声制御部１２８を有して構成されている。なお、図２に示す収集装置１００の各構成要素は、ハードウェア、またはＣＰＵなどの中央演算処理装置とこれを機能させるためのプログラムから構成されることができる。なお、収集装置１００は、タッチパネルディスプレイ１０２、通信部１０６、スピーカ１１０、マイク１１２を備えていなくても良い。
【００３３】
タッチパネルディスプレイ１０２は、タッチパネルを備えた表示デバイスであり、ユーザの指などの接触を検出することが可能なように構成されている。
【００３４】
運動状態センサ１０４は、例えば心拍数センサと加速度センサと、を含む。運動状態センサ１０４が出力するセンシングデータは制御部１２０に送られる。
【００３５】
通信部１０６は、制御部１２０の制御の元で他の装置との間で通信を行って情報の授受を実行する。通信部１０６は、通信機能を有するハードウェア、例えば通信回路を含んで構成される。記憶部１０８は、例えばＲＯＭ、フラッシュメモリ等で構成され、収集装置１００で動作するコンピュータプログラムや各種情報などを記憶する。
【００３６】
制御部１２０の判断部１２２は、運動状態センサ１０４の検出値から、ユーザの状態が座位であるか、立位であるか、軽い運動しているか、激しい運動をしているか、等を判断する。判断部１２２は、ユーザの状態が座位から立位に変わった時刻、及び所定時間（例えば１日）内にユーザの状態が座位から立位に変わった回数をも判断することができる。認識部１２４は、判断部１２２の判断結果に基づいて、ユーザの状態を認識するとともに、そのユーザの状態が継続した連続時間を認識する。
【００３７】
表示制御部１２６は、判断部１２２、認識部１２４による処理結果をタッチパネルディスプレイ１０２に表示するための処理を行う。音声制御部１２８は、判断部１２２、認識部１２４による処理結果をスピーカ１１０から音声として出力するための処理を行う。なお、運動状態センサ１０４は、体温センサなど他の生体情報を検出するセンサを含んでいても良く、判断部１２２は心拍や体温など複数の生体情報を用いて運動状態を判定しても良い。
【００３８】
以上、本開示の実施の形態に係る収集装置１００の機能構成例について説明した。次に、本開示の実施の形態に係る携帯端末２００の機能構成例について説明する。
【００３９】
図３は、本開示の実施の形態に係る携帯端末２００の機能構成例を示す説明図である。以下、図３を用いて本開示の実施の形態に係る携帯端末２００の機能構成例について説明する。
【００４０】
図３に示すように、本実施形態に係る携帯端末２００は、タッチパネルディスプレイ２０２と、運動状態センサ２０４と、通信部２０６と、記憶部２０８と、スピーカ２１０と、マイク２１２と、制御部２２０と、を有して構成される。また制御部２２０は、判断部２２２と、認識部２２４と、表示制御部２２６、音声制御部２２８を有して構成されている。なお、図３に示す携帯端末２００の各構成要素は、ハードウェア、またはＣＰＵなどの中央演算処理装置とこれを機能させるためのプログラムから構成されることができる。
【００４１】
タッチパネルディスプレイ２０２は、タッチパネルを備えた表示デバイスであり、ユーザの指などの接触を検出することが可能なように構成されている。
【００４２】
運動状態センサ２０４は、例えば心拍数センサと加速度センサと、を含む。運動状態センサ２０４が出力するセンシングデータは制御部２２０に送られる。
【００４３】
通信部２０６は、本開示の取得部の一例であり、制御部２２０の制御の元で他の装置との間で通信を行って情報の授受を実行する。通信部２０６は、通信機能を有するハードウェア、例えば通信回路を含んで構成される。記憶部２０８は、例えばＲＯＭ、フラッシュメモリ等で構成され、携帯端末２００で動作するコンピュータプログラムや各種情報などを記憶する。
【００４４】
制御部２２０の判断部２２２は、運動状態センサ２０４の検出値から、ユーザの状態が座位であるか、立位であるか、軽い運動しているか、激しい運動をしているか、等を判断する。判断部２２２は、ユーザの状態が座位から立位に変わった時刻、及び所定時間（例えば１日）内にユーザの状態が座位から立位に変わった回数をも判断することができる。また判断部２２２は、運動状態センサ２０４の検出値や、収集装置１００から取得した情報、例えば収集装置１００を身に付けているユーザの生体情報から、ユーザがどの時間その状態にいるかを判断することが出来る。認識部２２４は、判断部２２２の判断結果に基づいて、ユーザの状態を認識するとともに、そのユーザの状態が継続した連続時間を認識する。
【００４５】
表示制御部２２６は、本開示の表示処理部の一例であり、判断部２２２、認識部２２４による処理結果をタッチパネルディスプレイ２０２に表示するための処理を行う。本実施形態では、表示制御部２２６は、判断部２２２が判断したユーザの状態を変容させるための情報を出力する。具体的な情報の出力例は後述する。音声制御部２２８は、判断部２２２、認識部２２４による処理結果をスピーカ２１０から音声として出力するための処理を行う。なお、運動状態センサ２０４は、体温センサなど他の生体情報を検出するセンサを含んでいても良く、認識部２２４は心拍や体温など複数の生体情報を用いて運動状態を判定しても良い。
【００４６】
以上、本開示の実施の形態に係る携帯端末２００の機能構成例について説明した。次に、本開示の実施の形態に係るサーバ３００の機能構成例について説明する。
【００４７】
図４は、本開示の実施の形態に係るサーバ３００の機能構成例を示す説明図である。以下、図４を用いて本開示の実施の形態に係るサーバ３００の機能構成例について説明する。
【００４８】
図４に示したように、本開示の実施の形態に係るサーバ３００は、判断部３１０と、認識部３２０と、記憶部３３０と、通信部３４０と、を含んで構成される。
【００４９】
判断部３１０は、収集装置１００または携帯端末２００から送られて、通信部３４０で受信した、運動状態センサ１０４（または運動状態センサ２０４）の検出値から、ユーザの状態が座位であるか、立位であるか、軽い運動しているか、激しい運動をしているか、等を判断する。判断部２２２は、ユーザの状態が座位から立位に変わった時刻、及び所定時間（例えば１日）内にユーザの状態が座位から立位に変わった回数をも判断することができる。認識部３２０は、判断部３１０の判断結果に基づいて、ユーザの状態を認識するとともに、そのユーザの状態が継続した連続時間を認識する。
【００５０】
記憶部３３０は、例えばＲＯＭ、フラッシュメモリ、ＨＤＤ等で構成され、サーバ３００で動作するコンピュータプログラムや各種情報などを記憶する。通信部３４０は、他の装置との間で通信を行って情報の授受を実行する。通信部３４０は、通信機能を有するハードウェア、例えば通信回路を含んで構成される。
【００５１】
以上、本開示の実施の形態に係るサーバ３００の機能構成例について説明した。次に、本開示の実施の形態に係る健康管理システム１の動作例について説明する。
【００５２】
［１．４．動作例及び表示例］
以下の説明では、収集装置１００を身体に装着したユーザ（以下単に「ユーザ」も表記する）の状態を携帯端末２００が表示する場合について示す。本実施形態に係る健康管理システム１の動作例を詳細に説明する前に、携帯端末２００が実行するアプリケーションのユーザインタフェースの例について説明する。
【００５３】
図５〜７は、本実施形態に係る携帯端末２００が実行するアプリケーションのユーザインタフェースの例を示す説明図である。本実施形態に係る携帯端末２００が実行するアプリケーションは、収集装置１００を身体に装着したユーザの状態を表示する画面、収集装置１００を身体に装着したユーザの行動に基づいて提供されるクーポンやポイントなどを表示する画面、収集装置１００を身体に装着したユーザが関係するイベントを表示する画面、等を有する。
【００５４】
図５は、収集装置１００を身体に装着したユーザの状態を表示する画面の例を示す説明図である。図５に示した画面は、領域４０１〜４０６を含む。領域４０１は、画面を切り替えるための領域である。領域４０１の「マイページ」をユーザが触ると、携帯端末２００は図５に示した画面に切り替える。領域４０２は、収集装置１００を身体に装着したユーザの身体的な活動量（からだ活動量）の情報を表示する領域である。領域４０３は、ユーザの精神的な活動量（こころ活動量）の情報を表示する領域である。領域４０４は、ユーザの歩数を表示する領域である。領域４０５は、ユーザの心拍数を表示する領域である。領域４０６は、ユーザの睡眠時間を表示する領域である。
【００５５】
領域４０２〜４０６に示した情報は、いずれも、収集装置１００が収集した情報に基づいて判断部２２２によって状態が判断され、認識部２２４によって時間や回数などが認識された結果、提示される情報である。
【００５６】
図６は、ユーザの行動に基づいて提供されるクーポンやポイントなどを表示する画面の例を示す説明図である。図６に示した画面は、領域４０１、４１１〜４１３を含む。領域４０１の「クーポン」をユーザが触ると、携帯端末２００は図６に示した画面に切り替える。領域４１１は、ユーザを識別する情報（ＩＤやバーコード等）を表示する領域である。領域４１２は、ユーザの現在のポイントを表示する領域である。領域４１３は、ユーザの行動に基づいて提供されるクーポンなどのリワードを表示する領域である。
【００５７】
図７は、ユーザが関係するイベントを表示する画面の例を示す説明図である。図７に示した画面は、領域４０１、４２１を含む。領域４０１の「カレンダー」をユーザが触ると、携帯端末２００は図７に示した画面に切り替える。領域４２１は、ユーザが関係するイベントをカレンダー形式で表示する領域である。
【００５８】
以下では、主に、図６に示した、ユーザの行動に基づいてクーポンやポイントなどのリワードを提供するために、ユーザに現在の行動からの変容を促す画面（健康作りアクション提案画面）を表示する際の表示制御について説明する。
【００５９】
図８は、本開示の実施の形態に係る携帯端末２００の動作例を示す説明図である。以下、図８を用いて本実施形態に係る携帯端末２００の動作例について説明する。
【００６０】
携帯端末２００は、収集装置１００から定期的に情報を取得しており、取得した情報が行動変容必要条件を満たしたかどうか判断する（ステップＳ１０１）。このステップＳ１０１の判断は例えば判断部２２２が実行する。
【００６１】
行動変容必要条件の例として、座位行動が所定時間続いた、緊張状態が所定時間続いた、激しい運動が所定時間続いた、所定時間あたりの増加歩数が所定の歩数以下だった、睡眠時間が所定時間未満であった、起床から所定時間経過した、などがある。
【００６２】
携帯端末２００は、収集装置１００から取得した情報が行動変容必要条件を満たすまで待機し（ステップＳ１０１、Ｎｏ）、収集装置１００から取得した情報が行動変容必要条件を満たすと（ステップＳ１０１、Ｙｅｓ）、行動変容を促すプッシュ通知を行う（ステップＳ１０２）。プッシュ通知の例については後述する。そして携帯端末２００は、プッシュ通知を開く入力が行われたかどうか判断する（ステップＳ１０３）。
【００６３】
携帯端末２００は、プッシュ通知を開く入力が行われるまで待機し（ステップＳ１０３、Ｎｏ）、プッシュ通知を開く入力が行われると（ステップＳ１０３、Ｙｅｓ）、携帯端末２００は、健康作りアクション提案画面を表示する（ステップＳ１０４）。健康作りアクション提案画面の表示例は後に詳述する。
【００６４】
携帯端末２００は、健康作りアクション提案画面に表示される「あとで実行する」ボタンが押されたかどうかを判断する（ステップＳ１０５）。「あとで実行する」ボタンが押されれば（ステップＳ１０５、Ｙｅｓ）、携帯端末２００はステップＳ１０１の行動変容必要条件を満たしたかどうかの判断処理に戻る。「あとで実行する」ボタンが押されなければ（ステップＳ１０５、Ｎｏ）、続いて携帯端末２００は、「実行する」ボタンが所定時間内に押されたかどうかを判断する（ステップＳ１０６）。
【００６５】
「実行する」ボタンが所定時間内に押されなければ（ステップＳ１０６、Ｎｏ）、携帯端末２００はステップＳ１０１の行動変容必要条件を満たしたかどうかの判断処理に戻る。「実行する」ボタンが所定時間内に押されれば（ステップＳ１０６、Ｙｅｓ）、携帯端末２００は、ユーザに対してリワードを提供するためのリワード表示を行う（ステップＳ１０７）。
【００６６】
図９Ａ〜９Ｄは、図８の一連の動作によって携帯端末２００に表示されるユーザインタフェースの例を示す説明図である。ここでは、ユーザが座位状態にあることが所定時間継続していることが検出された場合に、ユーザに１５分間の散歩を提案する例を説明する。
【００６７】
図９Ａは、収集装置１００から取得した情報が行動変容必要条件を満たしたので、携帯端末２００が行動変容を促すプッシュ通知を行った際の、携帯端末２００に表示される画面の例である。プッシュ通知は、ユーザが携帯端末２００を操作していなければロック画面に表示され、ユーザが携帯端末２００を操作していれば操作中の画面に表示されうる。図９Ａには、符号４３０で示したプッシュ通知が携帯端末２００に表示される様子が示されている。なお、プッシュ通知は、画面への表示に限定されるものではない。携帯端末２００は、音声や振動によってプッシュ通知を行っても良い。
【００６８】
プッシュ通知の方法は、アプリケーションの設定によってユーザが選択できるようにしても良い。例えば、ディスプレイへの表示によって通知するか、スピーカからの音声出力によって通知するか、バイブレータの振動によって通知するかを、収集装置１００と携帯端末２００のそれぞれで選択できるようにしても良い。またプッシュ通知の方法は、収集装置１００と携帯端末２００との距離関係によって変化しても良い。例えば、ユーザが収集装置１００を身に付けており、収集装置１００と携帯端末２００との間の距離が所定値以上離れると、通知は収集装置１００のみで行われるようにしても良い。
【００６９】
図９Ｂは、図８のステップＳ１０４によって行われる健康作りアクション提案画面の表示例である。図９Ｂに示した健康作りアクション提案画面には、ユーザに行って欲しい行動を表示する領域４３１、「実行する」と表示されたボタン４３２、「あとで実行する」と表示されたボタン４３３、クーポン画像４３４が表示されている。ここでは、ユーザに１５分間の散歩を行って欲しいことが領域４３１に提示されている。領域４３１に提示される情報は、判断部２２２が判断したユーザの状態を変容させるための情報である。例えば、ユーザが２時間座位状態を継続していると判断部２２２が判断した場合に、領域４３１には１５分間の散歩を行って欲しいことが提示される。ユーザがボタン４３２を押すと、携帯端末２００は後述する図９Ｃに示した画面を表示する。ユーザがボタン４３３を押すと、携帯端末２００は、健康作りアクション提案画面から別の任意の画面に遷移する。
【００７０】
携帯端末２００は、この時点ではクーポン画像４３４を半透明で表示している。携帯端末２００は、クーポン画像４３４をこの時点では全く見えない状態としていてもよい。ユーザが領域４３１で提示されている行動を実行したことを検出すると、携帯端末２００は、後述する図９Ｃに示した画面のように、クーポン画像４３４を明瞭に表示する。
【００７１】
図９Ｃは、図８のステップＳ１０７によって行われるリワード表示の例であり、図８のボタン４３３をユーザが押した際に携帯端末２００が表示する画面の例である。図９Ｃに示した画面には、ユーザに行って欲しい行動を表示する領域４３１、残り時間を表示する領域４３５、クーポン画像４３４が表示されている。領域４３５に表示されている時間が経過する（残り時間が少なくなっていく）に連れて、画面に表示されるストップウォッチの針の位置が変化する。また、携帯端末２００は、クーポン画像４３４を明瞭に表示する。
【００７２】
１５分が経過すると、携帯端末２００は、図９Ｄに示したように、この１５分間の散歩によってユーザに提供するクーポンを領域４１３に表示する。
【００７３】
図８の一連の動作によって携帯端末２００に表示される画面の別の例を示す。図１０Ａ〜１０Ｄは、図８の一連の動作によって携帯端末２００に表示されるユーザインタフェースの例を示す説明図である。ここでは、ユーザが緊張状態にあることが所定時間継続していることが検出された場合に、ユーザに３分間の深呼吸を提案する例を説明する。
【００７４】
図１０Ａは、収集装置１００から取得した情報が行動変容必要条件を満たしたので、携帯端末２００が行動変容を促すプッシュ通知を行った際の、携帯端末２００に表示される画面の例である。図１０Ａには、符号４３０で示したプッシュ通知が携帯端末２００に表示される様子が示されている。
【００７５】
図１０Ｂは、図８のステップＳ１０４によって行われる健康作りアクション提案画面の表示例である。図１０Ｂに示した健康作りアクション提案画面には、ユーザに行って欲しい行動を表示する領域４３１、「実行する」と表示されたボタン４３２、「あとで実行する」と表示されたボタン４３３、クーポン画像４３４が表示されている。ここでは、ユーザに３分間の深呼吸を行って欲しいことが領域４３１に提示されている。ユーザがボタン４３２を押すと、携帯端末２００は後述する図１０Ｃに示した画面を表示する。ユーザがボタン４３３を押すと、携帯端末２００は、健康作りアクション提案画面から別の任意の画面に遷移する。
【００７６】
図１０Ｃは、図８のステップＳ１０７によって行われるリワード表示の例であり、図８のボタン４３３をユーザが押した際に携帯端末２００が表示する画面の例である。図９Ｃに示した画面には、ユーザに行って欲しい行動を表示する領域４３１、残り時間を表示する領域４３５、クーポン画像４３４が表示されている。領域４３５に表示されている時間が経過する（少なくなっていく）に連れて、画面に表示されるストップウォッチの針の位置が変化する。また、携帯端末２００は、クーポン画像４３４を明瞭に表示する。
【００７７】
そして、ボタン４３３をユーザが押してから３分が経過すると、携帯端末２００は、図１０Ｄに示したように、この３分間の深呼吸によってユーザに提供するクーポンを領域４１３に表示する。
【００７８】
このように、携帯端末２００は、収集装置１００から送信された情報に基づいて、ユーザに状態を変容させるための行動を提示することが出来る。
【００７９】
携帯端末２００は、提示した行動がユーザによって行われたかどうかを判断し、提示した行動がユーザによって実際に行われた場合に限り、クーポンやポイントをユーザに提供するようにしてもよい。
【００８０】
図１１は、本開示の実施の形態に係る携帯端末２００の動作例を示す説明図である。以下、図１１を用いて本実施形態に係る携帯端末２００の動作例について説明する。
【００８１】
携帯端末２００は、収集装置１００から定期的に情報を取得しており、取得した情報が行動変容必要条件を満たしたかどうか判断する（ステップＳ１１１）。このステップＳ１０１の判断は例えば判断部２２２が実行する。
【００８２】
携帯端末２００は、収集装置１００から取得した情報が行動変容必要条件を満たすまで待機し（ステップＳ１１１、Ｎｏ）、収集装置１００から取得した情報が行動変容必要条件を満たすと（ステップＳ１１１、Ｙｅｓ）、行動変容を促すプッシュ通知を行う（ステップＳ１１２）。そして携帯端末２００は、プッシュ通知を開く入力が行われたかどうか判断する（ステップＳ１１３）。
【００８３】
携帯端末２００は、プッシュ通知を開く入力が行われるまで待機し（ステップＳ１２３、Ｎｏ）、プッシュ通知を開く入力が行われると（ステップＳ１１３、Ｙｅｓ）、携帯端末２００は、健康作りアクション提案画面を表示する（ステップＳ１１４）。
【００８４】
携帯端末２００は、健康作りアクション提案画面に表示される「あとで実行する」ボタンが押されたかどうかを判断する（ステップＳ１１５）。「あとで実行する」ボタンが押されれば（ステップＳ１１５、Ｙｅｓ）、携帯端末２００はステップＳ１１１の行動変容必要条件を満たしたかどうかの判断処理に戻る。「あとで実行する」ボタンが押されなければ（ステップＳ１１５、Ｎｏ）、続いて携帯端末２００は、「実行する」ボタンが所定時間内に押されたかどうかを判断する（ステップＳ１１６）。
【００８５】
「実行する」ボタンが所定時間内に押されなければ（ステップＳ１１６、Ｎｏ）、携帯端末２００はステップＳ１１１の行動変容必要条件を満たしたかどうかの判断処理に戻る。「実行する」ボタンが所定時間内に押されれば（ステップＳ１１６、Ｙｅｓ）、携帯端末２００は、提示した行動に対して実際にアクションが実行されたかどうかを判断する（ステップＳ１１７）。ステップＳ１１７の処理は、例えば判断部２２２が実行する。また携帯端末２００は、提示した行動に対して実際にアクションが実行されたかどうかを、収集装置１００から送信される情報に基づいて判断する。一例を挙げれば、携帯端末２００は、深呼吸を行うことを提示したのに１分間あたりの心拍数が所定値以上となっていれば、ユーザは深呼吸を行っていないと判断しても良い。
【００８６】
提示した行動に対して実際にアクションが実行されていなければ（ステップＳ１１７、Ｎｏ）、携帯端末２００はステップＳ１１１の行動変容必要条件を満たしたかどうかの判断処理に戻る。提示した行動に対して実際にアクションが実行されれば（ステップＳ１１７、Ｙｅｓ）、携帯端末２００は、ユーザに対してリワードを提供するためのリワード表示を行う（ステップＳ１１８）。
【００８７】
このように、提示した行動が実際に行われた場合に、クーポンやポイントをユーザに提供する際に、携帯端末２００は、行動の実行度合いに応じてクーポンの表示を変化させても良い。
【００８８】
図１２Ａ〜１２Ｄは、携帯端末２００に表示されるユーザインタフェースの例を示す説明図である。ユーザに対して３分間の深呼吸を提案した場合に、ユーザがその提案に応じて深呼吸を行っていることが収集装置１００から送信された情報から分かれば、携帯端末２００は、その深呼吸の実行時間に応じてクーポン画像４３４を少しずつ明瞭に表示する。しかし、ユーザが途中で深呼吸を中断していると、携帯端末２００は、図１２Ｂに示したように、深呼吸というアクションが中断中である旨の表示を行う。
【００８９】
その後ユーザが深呼吸を再開すると、携帯端末２００は、再び図１２Ｃに示したように、その深呼吸の実行時間に応じてクーポン画像４３４を少しずつ明瞭に表示する。そして、ユーザが３分間の深呼吸を完了すると、携帯端末２００は、図１２Ｄに示したように、クーポン画像４３４を完全に明瞭に表示する。
【００９０】
ユーザのある状態が所定時間継続した場合に携帯端末２００が提示する提案は、時間限定で使用できるクーポンであっても良い。図１３Ａ、１３Ｂは、携帯端末２００に表示されるユーザインタフェースの例を示す説明図である。例えば、ユーザが緊張状態にあることが所定時間継続していることを検出すると、携帯端末２００は、図１３Ａに示したようなプッシュ通知を行う。ユーザがこのプッシュ通知を選択すると、携帯端末２００は、図１３Ｂに示したように、所定時間の間だけコーヒーが無料になるクーポンを提示する画面を表示する。このように所定時間の間だけコーヒーが無料になるクーポンを提示することで、携帯端末２００は、ユーザに対して気分転換をさせるための行動を取らせることが出来る。
【００９１】
図１４Ａ、１４Ｂは、携帯端末２００に表示されるユーザインタフェースの例を示す説明図である。例えば、ユーザが緊張状態にあることが所定時間継続していることを検出すると、携帯端末２００は、図１４Ａに示したようなプッシュ通知を行う。ユーザがこのプッシュ通知を選択すると、携帯端末２００は、図１４Ｂに示したように、所定時間の間だけマッサージが無料になるクーポンを提示する画面を表示する。このように所定時間の間だけマッサージが無料になるクーポンを提示することで、携帯端末２００は、ユーザに対して気分転換をさせるための行動を取らせることが出来る。
【００９２】
携帯端末２００は、ユーザの過去の行動に応じて、ユーザの状態を変容させるための提示を変化させても良い。例えば、ユーザの過去の行動から、そのユーザが運動不足に陥っていることが分かれば、携帯端末２００は、ユーザの状態を変容させるための提示として、フィットネスクラブが所定時間だけ無料で利用できるクーポンを提示しても良い。また例えば、ユーザの過去の行動から、そのユーザは座位状態が長く、腰痛を持っている可能性が高いと判断すれば、携帯端末２００は、ユーザの状態を変容させるための提示として、マッサージ店が所定時間だけ無料で利用できるクーポンを提示しても良い。また例えば、ユーザの過去の行動から、そのユーザが精神的に疲労している可能性が高いと判断すれば、携帯端末２００は、ユーザの状態を変容させるための提示として、映画館が所定時間だけ無料で利用できるクーポンを提示しても良い。
【００９３】
ユーザの過去の行動に応じて、ユーザの状態を変容させるための提示の中身を変化させる場合の動作例を示す。携帯端末２００は、予めユーザの状態を判断するための項目をポイント化しておき、ユーザの行動に応じて各項目のポイントを減少させて、減少量の多い項目を改善させるための提示を行う。そのポイントは、ユーザのプロファイル（性別、年齢、病歴、仕事の内容、食事の内容及び時間、等）に応じて初期値が変更されうる。
【００９４】
図１５は、ユーザの項目のポイント化の例を示す説明図である。ここでは、運動、座位、ストレス、食事、睡眠の５つの項目についてポイント化した例が示されている。項目の数や内容は係る例に限定されるものではない。初期値はいずれも同じ値（ここでは２０）としているが、各項目の初期値は異なっていても良い。そして図１５には、各項目をユーザのプロファイルに応じて変更している例も示されている。このユーザの各項目のポイントは携帯端末２００に保持されていても良いし、サーバ３００に保持されていても良い。
【００９５】
そして、ユーザが行った行動に応じて、携帯端末２００は各項目のポイントを減少させていく。例えば、ユーザの安静時間が所定時間続くと、運動ポイント及び座位ポイントが所定量減少する。また例えば、ユーザの所定時間あたりの増加歩数が所定数以下であれば、運動ポイントが所定量減少する。また例えば、ユーザの座位行動が所定時間続くと、座位ポイントが所定量減少する。また例えば、ユーザの緊張状態が所定時間続くと、ストレスポイントが所定量減少する。また例えば、ユーザが朝食を食べていないと、食事ポイントが所定量減少する。また例えば、ユーザの睡眠時間が所定時間未満であれば、睡眠ポイントが所定量減少する。また例えば、ユーザの起床から所定時間経過すると、睡眠ポイントが所定量減少する。また例えば、ユーザが出席した会議が所定時間以上継続すると、運動ポイント、座位ポイント及びストレスポイントが所定量減少する。
【００９６】
そして、ユーザの各項目のポイントが条件を満たすと、携帯端末２００は、その条件に応じた行動を提示する画面を表示する。図１６及び図１７は、ユーザに行って欲しい行動と、その行動を提示するためのポイントの条件との対応関係を示す説明図である。例えば、運動ポイント及び座位ポイントが１０ポイントまで低下すると、携帯端末２００は、ユーザに１０分間の散歩を行うことを提示する。また例えば、運動ポイントが１８ポイント、座位ポイントが１０ポイント、ストレスポイントが１５ポイント、食事ポイントが１６ポイントまで低下すると、携帯端末２００は、ユーザに３分間の深呼吸を行うことを提示する。また例えば、運動ポイントが１８ポイント、座位ポイントが１０ポイント、ストレスポイントが５ポイント、睡眠ポイントが１５ポイントまで低下すると、携帯端末２００は、ユーザに１分間の伸びを行うことを提示する。
【００９７】
また例えば、運動ポイント及び座位ポイントが１０ポイントまで低下すると、携帯端末２００は、ユーザにフィットネスクラブのクーポンを提示する。また例えば、運動ポイントが１８ポイント、座位ポイントが１０ポイント、ストレスポイントが１５ポイント、食事ポイントが１６ポイントまで低下すると、携帯端末２００は、マッサージ店のクーポンを提示する。また例えば、運動ポイントが１８ポイント、座位ポイントが１０ポイント、ストレスポイントが５ポイント、睡眠ポイントが１５ポイントまで低下すると、携帯端末２００は、映画館のクーポンを提示する。
【００９８】
低下した各項目のポイントは、携帯端末２００に提示された行動をユーザが実行することで初期値（またはユーザのプロファイルに応じて設定された値）にリセットされる。
【００９９】
このように、ユーザの状態をポイント化することで、携帯端末２００は、ユーザの状態を変容させるための提示の中身を変化させることができる。
【０１００】
ポイントの変化及び提案する行動の一例を示す。図１８は、ユーザのポイントの変化及びその変化に応じて携帯端末２００が提示する内容の例を示す説明図である。
【０１０１】
あるユーザの各項目のポイントの初期値が、図１８の符号６０１のように設定されたとする。すなわち、運動ポイントの初期値が１５ポイント、座位ポイントの初期値が２０ポイント、ストレスポイントの初期値が１８ポイント、食事ポイントの初期値が１２ポイント、睡眠ポイントの初期値が１７ポイントであるとする。
【０１０２】
そのユーザのある日の睡眠時間が５時間であり、６時に起床し、出社後に座位状態が６０分継続すると、そのユーザの各項目のポイントが符号６０２のように変化する。すなわち、座位ポイントが１０ポイントに、睡眠ポイントが１５ポイントに、それぞれ変化する。
【０１０３】
座位ポイントが１０ポイントになったので、携帯端末２００は、ユーザに行って欲しい行動として３分間の深呼吸を行うことを提示する。ユーザが３分間の深呼吸を行うことが通知されるか、または収集装置１００からの情報によってユーザが３分間の深呼吸を行ったことを検出すると、携帯端末２００は、ユーザにコーヒーの無料券を提示するとともに、各項目のポイントを初期値にリセットする。
【０１０４】
携帯端末２００は、このように、ユーザが行った行動に応じて各項目のポイントを減算し、条件に合致すると、ユーザに行って欲しい行動を提示すると共に、その行動によってユーザが得られるリワードを提示することができる。
【０１０５】
携帯端末２００は、ユーザのスケジュール情報を用いてポイントの減算を行ったり、ユーザに行って欲しい行動を提示したりしても良い。ユーザのスケジュール情報は、携帯端末２００に登録されているものであっても良く、サーバ３００（または別のサーバ）に登録されているものであっても良い。
【０１０６】
ユーザに提供されるリワードは、位置情報に応じて変化されうる。その際、携帯端末２００は、ユーザに気分転換を促すため、最も近い場所で利用できるクーポンではなく、少し離れた場所で利用できるクーポンを提供しても良い。例えば、コーヒーの無料券を提供する場合、携帯端末２００は、ユーザの現在位置から１００メートルの場所で利用できるクーポンではなく、３００メートルの場所で利用できるクーポンを提供しても良い。
【０１０７】
＜２．まとめ＞
以上説明したように本開示の実施の形態によれば、ユーザの状態を検出し、ある状態が所定時間継続したと判断すると、そのユーザに対して、その現在の状態からの変容を促すための情報を提示することが可能な携帯端末２００が提供される。携帯端末２００は、ユーザが所定時間、ある状態が継続したと判断すると、その状態から変容させるための行動や、その行動を行った際にユーザに提供するクーポンやポイント等のリワードを提示することができる。
【０１０８】
本明細書の各装置が実行する処理における各ステップは、必ずしもシーケンス図またはフローチャートとして記載された順序に沿って時系列に処理する必要はない。例えば、各装置が実行する処理における各ステップは、フローチャートとして記載した順序と異なる順序で処理されても、並列的に処理されてもよい。
【０１０９】
また、各装置に内蔵されるＣＰＵ、ＲＯＭおよびＲＡＭなどのハードウェアを、上述した各装置の構成と同等の機能を発揮させるためのコンピュータプログラムも作成可能である。また、該コンピュータプログラムを記憶させた記憶媒体も提供されることが可能である。また、機能ブロック図で示したそれぞれの機能ブロックをハードウェアで構成することで、一連の処理をハードウェアで実現することもできる。
【０１１０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１１２】
なお、以下のような構成も本開示の技術的範囲に属する。
（１）
ユーザの活動情報を取得する取得部と、
前記取得部により取得された前記活動情報に基づいたユーザの状態から得られる第１の情報を提示し、前記ユーザの行動に応じて、提示した前記第１の情報の内容を変化させる処理を行う表示処理部と、
を備える、表示制御装置。
（２）
前記表示処理部は、前記第１の情報と共に、前記ユーザの状態を変容させる行動を示す第２の情報を提示する、前記（１）に記載の表示制御装置。
（３）
前記表示処理部は、前記第１の情報の提示後に、前記ユーザの活動内容に応じて、提示した前記第１の情報の内容を変化させる処理を行う、前記（２）に記載の表示制御装置。
（４）
前記表示処理部は、前記ユーザによる前記第２の情報として示した行動の実行に応じて、前記第１の情報の内容を変化させる処理を行う、前記（３）に記載の表示制御装置。
（５）
前記活動情報に基づいた前記ユーザの状態を判断する判断部をさらに備える、前記（２）〜（４）のいずれかに記載の表示制御装置。
（６）
前記表示処理部は、前記第２の情報として、前記判断部が判定した前記ユーザの状態を変容させる情報を提示する、前記（５）に記載の表示制御装置。
（７）
前記判断部は、前記取得部が前記活動情報として取得したセンシングデータを用いて前記ユーザの状態を判断する、前記（５）または（６）に記載の表示制御装置。
（８）
前記判断部は、前記取得部が前記活動情報として取得した前記ユーザの生体情報を用いて前記ユーザの状態を判断する、前記（７）に記載の表示制御装置。
（９）
前記判断部は、前記取得部が前記活動情報として取得した前記ユーザの移動に関する情報を用いて前記ユーザの状態を判断する、前記（７）に記載の表示制御装置。
（１０）
前記判断部は、ポイント化された前記ユーザの状態に対して前記活動情報を用いた演算を行う、前記（５）〜（９）に記載の表示制御装置。
（１１）
前記表示制御部は、前記ユーザのポイントが所定の条件を満たした場合に前記第１の情報を提示する、前記（１０）に記載の表示制御装置。
（１２）
前記表示処理部は、前記第１の情報として、前記ユーザに提供するクーポンを提示する、前記（１）〜（１２）のいずれかに記載の表示制御装置。
（１３）
前記表示処理部は、前記クーポンとして、所定の時間の間でだけ使用可能なクーポンを提示する、前記（１２）に記載の表示制御装置。
（１４）
前記表示処理部は、前記クーポンとして、所定の場所でだけ使用可能なクーポンを提示する、前記（１３）に記載の表示制御装置。
（１５）
ユーザの活動情報を取得することと、
取得された前記活動情報に基づいたユーザの状態から得られる第１の情報を提示し、前記ユーザの行動に応じて、提示した前記第１の情報の内容を変化させる処理をプロセッサが行うことと、
を含む、表示制御方法。
（１６）
コンピュータに、
ユーザの活動情報を取得することと、
取得された前記活動情報に基づいたユーザの状態から得られる第１の情報を提示し、前記ユーザの行動に応じて、提示した前記第１の情報の内容を変化させる処理を行うことと、
を実行させる、コンピュータプログラム。
【符号の説明】
【０１１３】
１００    収集装置
２００    携帯端末
３００    サーバ
【図１】
2018116703.tif 000003
【図２】
2018116703.tif 000004
【図３】
2018116703.tif 000005
【図４】
2018116703.tif 000006
【図５】
2018116703.tif 000007
【図６】
2018116703.tif 000008
【図７】
2018116703.tif 000009
【図８】
2018116703.tif 000010
【図９Ａ】
2018116703.tif 000011
【図９Ｂ】
2018116703.tif 000012
【図９Ｃ】
2018116703.tif 000013
【図９Ｄ】
2018116703.tif 000014
【図１０Ａ】
2018116703.tif 000015
【図１０Ｂ】
2018116703.tif 000016
【図１０Ｃ】
2018116703.tif 000017
【図１０Ｄ】
2018116703.tif 000018
【図１１】
2018116703.tif 000019
【図１２Ａ】
2018116703.tif 000020
【図１２Ｂ】
2018116703.tif 000021
【図１２Ｃ】
2018116703.tif 000022
【図１２Ｄ】
2018116703.tif 000023
【図１３Ａ】
2018116703.tif 000024
【図１３Ｂ】
2018116703.tif 000025
【図１４Ａ】
2018116703.tif 000026
【図１４Ｂ】
2018116703.tif 000027
【図１５】
2018116703.tif 000028
【図１６】
2018116703.tif 000029
【図１７】
2018116703.tif 000030
【図１８】
2018116703.tif 000031
【国際調査報告】
2018116703.tif 000032
2018116703.tif 000033
2018116703.tif 000034
2018116703.tif 000035